(57)【要約】【課題】従来、吸引排気装置の内部に堆積し故障にいたる危険性を回避するため、構造や運転方法の検討に工夫を要し、設計に多くの時間と費用を要するといった課題があった。【解決手段】本発明のフィルター清掃装置は、吸引ダクト中を流れてきた塵埃を除去し、排気ダクト中に排出する塵埃除去排出手段を備え、エアフィルターから吸引した塵埃を、吸引排気装置を通さずに排出することで課題を解決するもので、フィルター清掃装置１０１は、吸引ダクト１０３、吸引ノズル１０５、フィルター１０６、吸引排出装置１０７、排気ダクト１０８と、吸引ダクトケース１１３および排気ダクトケース１１４設けられた、吸引ダクトケース１１３の断面とほぼ同一形状をした、塵埃除去排出手段である塵埃除去排出フィルター１１２および清掃パッド１１５で構成される。【選択図】図１
2007101117.tif 000002
【特許請求の範囲】
【請求項１】
空気調和機の、吸込み空気中の塵埃を取り除くエアフィルター上に堆積した塵埃を吸引除去する吸引ノズルと、前記吸引ノズルに接続される吸引ダクトと、前記エアフィルター上に堆積したした塵埃を吸引排気する駆動源となる吸引排気装置と、吸引した前記塵埃を誘導し排出する排気ダクトと、前記吸引ダクト中を流れてきた塵埃を除去するための前記吸引ダクトの断面と概略同形状の塵埃除去排出フィルターを有し、前記吸引ダクト中の塵埃を除去した後、前記塵埃除去排出フィルターが前記排気ダクト中へ移動して、除去した塵埃を排気ダクト中へ排出する前記排気ダクト中に排出する塵埃除去排出手段とで構成されることを特徴とするフィルター清掃装置。
【請求項２】
前記塵埃除去排出フィルターの移動および除去した塵埃の排出動作を、前記エアフィルターの清掃動作が終了するたびに行うことを特徴とする請求項１に記載のフィルター清掃装置。
【請求項３】
前記塵埃除去排出フィルターの移動および除去した塵埃の排出動作を、前記エアフィルターの清掃動作を所定の時間行った時点で行うことを特徴とする請求項１に記載のフィルター清掃装置。
【請求項４】
前記エアフィルターの清掃動作中に、前記吸引排気装置の負荷が設置初期よりも所定値以上低下した場合に、前記塵埃除去排出フィルターの移動および除去した塵埃の排出動作を行うことを特徴とする請求項１に記載のフィルター清掃装置。
【請求項５】
前記塵埃除去排出手段が、前記塵埃除去排出フィルターが除去した塵埃を前記排気ダクトへ排出するのを容易ならしめる清掃手段を有することを特徴とする請求項１に記載のフィルター清掃装置。
【請求項６】
前記清掃手段が、前記塵埃除去排出フィルターに押圧するよう設けられた弾性部材であることを特徴とする請求項５に記載のフィルター清掃装置。
【請求項７】
前記弾性部材が発泡性シリコン樹脂で発泡成形されたことを特徴とする請求項６に記載のフィルター清掃装置。
【請求項８】
前記吸引ダクトの断面が半円形状をなし、弦側を排気ダクト接して隣接するよう配置され、ほぼ同一の半円形状の前記塵埃除去排出フィルターが円の中心周りに回転することで、前記吸引ダクトと前記排気ダクトの間を前記塵埃除去排出フィルターが往来することを特徴とする請求項１に記載のフィルター清掃装置。
【請求項９】
前記吸引ダクトと前記排気ダクトが隣接するよう配置され、前記吸引ダクトの断面とほぼ同一の形状をなす前記塵埃除去排出フィルターが、前記吸引ダクトと前記排気ダクトの間を往復移動することを特徴とする請求項１に記載のフィルター清掃装置。
【発明の詳細な説明】
【技術分野】
【０００１】
本発明は、空気調和機に用いられるプレフィルターなどに堆積した塵埃を、自動で吸引除去して屋外に排出するフィルター清掃装置に関するものである。
【背景技術】
【０００２】
従来、空気調和機のプレフィルターを清掃する装置には様々な技術が知られている。空気調和機に組み込む形態の装置においてこれらを大別すると、塵埃を除去する手段としてはブラシにより掻き取る方法と吸引による方法などがあり、除去した塵埃の処理方法としては集塵容器に蓄積しメンテナンス時に廃棄する方法と、排気とともに屋外へ排出する方法などがある。
【０００３】
また、フィルターの形態としては、通常の概ね平坦な形状のものと、ベルト状をなし駆動軸により駆動循環されるものがある。
【０００４】
図４に示すのは、特許文献１や特許文献２に記載されているフィルター清掃装置である。フィルター装置３０１は、エアフィルター３０６上の塵埃を吸引除去し、除去した塵埃を排気とともに屋外へ排出するもので、フィルターは通常の固定されたエアフィルター３０６で、吸引用の吸入ノズル３０５が動く構成となっている。
【０００５】
図４において、フィルター装置３０１は、フィルター枠３０２と、エアフィルター３０６と、移動可能な吸入ノズル３０５と、吸入ノズル３０５に吸い込みダクト３０３を設け、さらに吸い込みダクト３０３に連結する吸引排気装置３０７と排気ダクト３０８とから構成したものである。
【０００６】
吸入ノズル３０５が、駆動モータ３１０に連結された駆動用ワイヤー３０９によって、Ａの矢印方向に移動し、エアフィルター３０６の表面に付着した塵埃を吸入ノズル３０５に設けた吸入口から吸い取り、塵埃は吸い込みダクト３０３、吸引排気装置３０７を通り、排気ダクト２０８から室外へ吐き出される。
【０００７】
吸引排気装置３０７は、特許文献２に記載されているように、シロッコファンとモーターを備えており、塵埃の混じった空気が内部を通過するよう構成されている。
【特許文献１】特開２００４−２６３９８４号公報
【特許文献２】特開２００４−３５３９６６号公報
【発明の開示】
【発明が解決しようとする課題】
【０００８】
しかしながら、特許文献１および特許文献２に記載の従来の装置においては、塵埃の混じった空気がシロッコファンやモーターを備えた吸引排気装置３０７の内部を通過するため、塵埃が吸引排気装置３０７の内部に堆積し故障にいたる危険性を回避するため、内部構造や運転方法に工夫が必要で、設計に多くの時間と費用を要するといった課題がある。
【０００９】
本発明は、前記従来の課題を解決するもので、吸引排気装置の内部に塵埃が堆積することに因る故障を防ぎ、吸引排気装置の設計を容易ならしめることのできるフィルター清掃装置を提供することを目的とする。
【課題を解決するための手段】
【００１０】
前記従来の課題を解決するために、本発明のフィルター清掃装置は、吸引ダクトの断面
と概略同形状の塵埃除去排出フィルターを有し、吸引ダクト中を流れてきた塵埃を除去し、排気ダクト中へ移動して排出する塵埃除去排出手段を備えるものである。
【００１１】
これによって、エアフィルターから吸引した塵埃を、吸引排気装置を通さずに排出することができる。
【発明の効果】
【００１２】
本発明のフィルター清掃装置は、塵埃除去排出手段により、エアフィルターから吸引した塵埃を、吸引排気装置を通さずに排出するもので、吸引排気装置の内部に塵埃が堆積することに因る故障を防ぎ、吸引排気装置の設計を容易ならしめることができる。
【００１３】
また、吸引ダクトの断面と概略同形状をした塵埃除去排出手段の塵埃除去排出フィルターが、吸引ダクト中の塵埃を除去し排気ダクト中へ移動して排出するので、塵埃除去排出フィルターの大きさや動作時における通風抵抗を最小限に抑え、吸引排気装置やダクトなどを小型化することができる。
【発明を実施するための最良の形態】
【００１４】
第１の発明は、吸引ダクト中を流れてきた塵埃を、吸引ダクトの断面と概略同形状をした塵埃除去排出フィルターで除去し、排気ダクト中へ移動して排出する塵埃除去排出手段を備え、エアフィルターから吸引した塵埃を、吸引排気装置を通さずに排出し、吸引排気装置の内部に塵埃が堆積することに因る故障を防ぎ、吸引排気装置の設計を容易ならしめるとともに、塵埃除去排出フィルターの大きさや動作時における通風抵抗を最小限に抑え、吸引排気装置やダクトなどを小型化することができる。
【００１５】
第２の発明は、特に第１の発明において塵埃除去排出フィルターの移動および除去した塵埃の排出動作を、エアフィルターの清掃動作が終了するたびに行うもので、塵埃除去排出フィルターへの塵埃堆積量が許容値を越え、通風抵抗が増加しエアフィルターの清掃性能が低下したり、塵埃除去排出に障害が発生するのを未然に防ぐことができる。
【００１６】
第３の発明は、特に第１の発明において、塵埃除去排出フィルターの移動および除去した塵埃の排出動作を、エアフィルターの清掃動作を所定の時間行った時点で行うもので、エアフィルターの清掃動作が終了するたびに行うよりも適切なタイミングで塵埃除去排出フィルターの移動および除去した塵埃の排出動作を行うことができる。
【００１７】
第４の発明は、特に第１の発明において、エアフィルターの清掃動作中に吸引排気装置の負荷が設置初期よりも所定値以上低下した場合に、前記塵埃除去排出フィルターの移動および除去した塵埃の排出動作を行うもので、適切なタイミングかつ必要最小限の頻度で塵埃の排出動作を行い装置の長寿命化や信頼性向上を実現することができる。
【００１８】
第５の発明は、特に第１の発明において、塵埃除去排出フィルターが除去した塵埃を前記排気ダクトへ排出するのを容易ならしめる清掃手段を有するもので、塵埃除去排出性を向上させることができる。
【００１９】
第６の発明は、特に第５の発明において、清掃手段に、塵埃除去排出フィルターに押圧するよう設けられた弾性部材を用いるもので、簡単な構成で清掃手段を構成でき、塵埃除去排出フィルターの移動部における吸引ダクトと排気ダクトのシールも確実ならしめることができる。
【００２０】
第７の発明は、特に第６の発明において、弾性部材として発泡性シリコン樹脂を発泡成形して用いることで、弾性部材の耐摺動性を向上させ信頼性の高い装置を得ることができ
る。
【００２１】
第８の発明は、特に第１の発明において、吸引ダクトの断面が半円形状をなし、弦側を排気ダクトと接して隣接するよう配置され、ほぼ同一の半円形状の前記塵埃除去排出フィルターが円の中心周りに回転するもので、単純な動作で塵埃除去排出を行うことができる。
【００２２】
第９の発明は、特に第１の発明において、前記吸引ダクトと前記排気ダクトの断面が同一の概略正方形ないしは長方形の形状をなし、長さの等しい辺を接して隣接するよう配置され、同一の正方形ないしは長方形の形状をなす塵埃除去排出フィルターが、吸引ダクトと排気ダクトの間を往復移動するもので、塵埃除去排出フィルター部のダクト構造体を小型化することができる。
【００２３】
以下、本発明の実施の形態について、図面を参照しながら説明する。なお、この実施の形態によって本発明が限定されるものではない。
【００２４】
（実施の形態１）
図１は、本発明における第１の実施の形態であるフィルター清掃装置の構成図を示すものである。
【００２５】
本発明における第１の実施の形態は図１に示すように、ダクト型室内機１１１の吸込み側にフィルター清掃装置１０１が取り付けられており、フィルター清掃装置１０１は、フィルター１０６、吸引ノズル１０５と吸引排出装置１０７と吸引ダクト１０３と吸引ダクトケース１１３と、排気ダクトケース１１４と、排気ダクト１０８で構成されている。
【００２６】
ここで、吸引排出装置１０７は羽根車であるシロッコファン１０７ａ、ファンモーター１０７ｂ、ケーシング１０７ｃとで構成され、吸引ノズル１０５は駆動モータ１１０と駆動用の溝が切られた駆動軸１０９によってフィルター１０６を左右に移動するよう構成されている。
【００２７】
シロッコファンは比較的低い周波数でも高い閉切り静圧が得られ、塵埃の付着や絡み付きに対しても強いという特性を有している。この点において本発明に適している。
【００２８】
モーターは、制御性や静音性や寿命の観点からＤＣブラシレスモーターを使用している。
【００２９】
そして、吸引ダクトケース１１３と、排気ダクトケース１１４は隣接し、互いの空気の流れは対向するよう配置され、その両方の内部には、塵埃除去排出手段である半円状の塵埃除去排出フィルター１１２と清掃パッド１１５が配置されており、塵埃除去排出フィルター１１２は円の中心周りに回転し吸引ダクトケース１１３と、排気ダクトケース１１４を往来するよう構成されている。
【００３０】
吸引ダクトケース１１３の塵埃除去排出フィルター１１２が設置される部分は塵埃除去排出フィルター１１２と同様の半円状の断面を有している。
【００３１】
さらに、清掃パッド１１５は、塵埃除去排出フィルター１１２と、吸引ダクトケース１１３および排気ダクトケース１１４の境界壁部に貼り付けられており、塵埃除去排出フィルター１１２に押圧され、塵埃除去排出フィルター１１２の回転に伴って塵埃除去排出フィルター１１２上の塵埃を清掃するとともに、排気ダクトケース１１４から吸引ダクトケース１１３への空気の漏洩を防ぐシールの役目を果たしている。
【００３２】
フィルターの清掃動作は、まず、塵埃除去排出フィルター１１２を吸引ダクトケース１１３の流路をすべて塞ぐ位置に配置させておき、吸引ノズル１０５が初期の位置、図１においては右端のフィルター１０６にかからない待機位置１０５ｉの状態で、ファンモータ１０７ｂを駆動させる。
【００３３】
引き続き、駆動モータ１１０を駆動させ、吸引ノズル１０５を矢印Ａの方向に移動させていく。
【００３４】
フィルター１０６の全面を清掃し終えると、駆動モータ１１０を逆転し、吸引ノズル１０５を矢印Ａ´の方向に移動させて待機位置１０５ｉに戻す。
【００３５】
そして、吸引ノズル１０５が待機位置１０５ｉに戻ったところで吸引排出装置１０７を一旦停止させ、塵埃除去排出フィルター１１２を１８０°回転させて排気ダクトケース１１４内へ移動させる。この状態で吸引排出装置１０７を再運転し塵埃除去排出フィルター１１２に付着していた塵埃を排出する。
【００３６】
吸引排出装置１０７を再運転して所定の時間が経過したところで、塵埃除去排出フィルター１１２をさらに１８０°回転させて吸引ダクトケース１１３に戻す。
【００３７】
吸引ノズル１０５から吸い取られた塵埃は、塵埃除去排出フィルター１１２の吸引ダクトケース１１３内のフィルター面で濾し取られ、フィルター１０６の清掃終了後、塵埃除去排出フィルター１１２の回転にともなって排気ダクトケース１１４へ移動し、吸引排出装置１０７の再運転によって排気ダクト１０８へと流されていく。
【００３８】
塵埃除去排出フィルター１１２は、フィルター清掃時には吸引ダクトケース１１３内に、塵埃排出時には排気ダクトケース１１４内に位置しているため、塵埃除去排出フィルター１１２による通風抵抗の増加を抑えることができる。また、塵埃の除去と排出をフィルター清掃毎に行うので、塵埃除去排出フィルター１１２に塵埃が堆積して通風抵抗の増加をまねくこともなく理想的な状態でエアフィルターの清掃をすることができる。
【００３９】
塵埃除去排出フィルター１１２に堆積した塵埃の除去排出は、通風抵抗の増加を抑えるとともに、衛生的面や、制御の単純化の観点から１回の清掃動作終了毎に行うこととしたが、設計上１回の清掃動作で堆積する塵埃の量が多くなる場合には清掃動作の途中であっても塵埃除去排出フィルター１１２に堆積した塵埃の除去排出を行うことが望ましい。
【００４０】
また、設計上１回の清掃動作で堆積する塵埃の量が少なくなる場合には、複数回の清掃動作後に塵埃除去排出フィルター１１２に堆積した塵埃の除去排出を行う方が、装置の長寿命化や信頼性向上の観点からは望ましい。
【００４１】
つまり、エアフィルターの清掃動作を所定の時間行った時点で塵埃の除去排出を行うほうが、１回の清掃動作終了毎に行うよりも通風抵抗の増加抑制や装置の長寿命化や信頼性向上の観点からは望ましい。
【００４２】
また、塵埃除去排出フィルター１１２に塵埃が堆積し、通風抵抗が増加すると風量が低下し吸引排出装置１０７の負荷は軽くなるため、ファンモーター１０７ｂを回転数一定で運転するとモーター電流は減少し、電源条件を一定で運転すれば回転数が上昇するといった変化が生じる。
【００４３】
これを検出して吸引排出装置１０７の負荷変動を把握し、設置初期の負荷と比較して、
負荷の低下が所定の値を超えた場合に塵埃の除去排出を行うこととすれば、適切なタイミングかつ必要最小限の頻度で塵埃の排出動作を行い装置の長寿命化や信頼性の向上を実現することができる。
【００４４】
図２は、塵埃除去排出フィルター１１２や清掃パッド１１５など塵埃除去手段の説明図で、Ａは吸引ダクトケース１１３および排気ダクトケース１１４部分の水平断面図、ＢはＡの水平断面部を塵埃除去排出フィルター１１２の集塵面側から見た側面図である。
【００４５】
図２における塵埃除去排出フィルター１１２の位置は、吸引ダクトケース１１３から排気ダクトケース１１４へ移動する途中の状態を示している。
【００４６】
塵埃除去排出フィルター１１２は、吸引ダクトケース１１３と排気ダクトケース１１４両方に渡って配置され、吸引ダクトケース１１３内は風路すべてを塞ぎ、吸引空気１１９中の塵埃を可能な限り除去できるように構成されている。
【００４７】
排気ダクトケース１１４は塵埃除去排出フィルター１１２よりも面積の大きな風路を設けているが、排気空気１２０の通風抵抗が増加するのを抑えるとともに塵埃除去排出フィルター１１２をすり抜けた塵埃が排出されやすいように構成されているもので、吸引ダクトケース１１３と同様の形状であってもかまわない。
【００４８】
さらに、塵埃除去排出フィルター１１２には、フィルター駆動モーター１１６が取り付けられており、矢印１２２の方向に回転するよう構成されている。
【００４９】
また、吸引ダクトケース１１３と排気ダクトケース１１４を隔てる境界壁１１７には、塵埃除去排出フィルター１１２に接する部分に、発泡性シリコン樹脂を発泡成形で加工された清掃パッド１１５が配置されており、所定の変形しろ、つまり所定の押圧力で塵埃除去排出フィルター１１２と当接し、吸引ダクトケース１１３と排気ダクトケース１１４の間をシールしている。
【００５０】
そして、清掃パッド１１５の反対側はシールパッド１１８が、フィルター駆動モーター１１６側に取り付けられ、塵埃除去排出フィルター１１２との間で所定の押圧力を与えられ、吸引ダクトケース１１３と排気ダクトケース１１４の間をシールしている。
【００５１】
発泡性シリコン樹脂の弾力性が、吸引ダクトケース１１３と排気ダクトケース１１４の間のシールと塵埃除去排出フィルター１１２に絡みついた埃１２１を引き剥がすのに効果的で、塵埃除去排出フィルター１１２が矢印１２２の方向に回転すると、埃１２１は清掃パッド１１５によって塵埃除去排出フィルター１１２から引き剥がされ、一部は繊維単体で、一部は複数の埃と絡み合いこより状の埃１２３となり排気ダクトケース１１４内に移動する。
【００５２】
排気ダクトケース１１４内に移動した繊維単体やこより状の埃１２３は重力や排気空気１２０の流速によって塵埃除去排出フィルター１１２から脱落し、排気ダクトから排出される。
【００５３】
また、発泡性シリコン樹脂を成形加工して用いているので、シリコン樹脂の材料特性と滑らかな表面性が優れた耐摺擦性をもたらし、高い信頼を得ることができる。
【００５４】
シールパッド１１８についても同様の観点から発泡性シリコン樹脂を発泡成形加工して用いるのが望ましい。
【００５５】
（実施の形態２）
本発明における第２の実施の形態と第１の実施の形態との違いは、塵埃除去排出フィルターの形状と移動動作が異なる点にある。
【００５６】
図３は、第２の実施の形態における塵埃除去手段の説明図で、Ａは吸引ダクトケース２１３および排気ダクトケース２１４部分の水平断面図、ＢはＡの水平断面部を塵埃除去排出フィルター２１２の集塵面側から見た側面図である。
【００５７】
図３における塵埃除去排出フィルター２１２の位置は、実施の形態１の図２と同様に、吸引ダクトケース２１３から排気ダクトケース２１４へ移動する途中の状態を示している。
【００５８】
塵埃除去排出フィルター２１２を駆動する駆動モーター２１６は、吸引ダクトケース２１３あるいは排気ダクトケース２１４の据付られており、塵埃除去排出フィルター２１２にはラック２２４が一体に形成されている。
【００５９】
駆動モーター２１６を駆動させるとウォーム軸２２５が回転し、塵埃除去排出フィルター２１２は矢印２２２の方向に平行移動する。
【００６０】
そして、実施の形態１と同様に塵埃除去排出フィルター２１２が吸引ダクトケース２１３内にある状態でフィルター清掃を行い、排気ダクトケース２１４内にある状態で塵埃の除去排出を行う。
【００６１】
実施の形態１では塵埃除去排出フィルターが回転移動し、実施の形態２では塵埃除去排出フィルターが平行移動するだけの違いで、基本的な動作やその効果については同じである。
【００６２】
また、清掃パッド１１５、シールパッド２１８の材質や作用および効果についても実施の形態１と同様である。
【００６３】
ただし、実施の形態２では駆動モーターが吸引ダクトケースおよび排気ダクトケースの外側に配置されるので、駆動モーターがダクト内に配置される実施の形態１に比べ通風抵抗を低減することができる、あるいはダクトを小型化できるというメリットがある。
【００６４】
以上説明したように、本発明のフィルター清掃装置では、吸引ダクトケース中を流れてきた塵埃を、塵埃除去排出フィルターで除去し、排気ダクト中へ移動して排出することで、エアフィルターから吸引した塵埃を、吸引排気装置を通さずに排出し、吸引排気装置の内部に塵埃が堆積することに因る故障を防ぎ、吸引排気装置の設計を容易ならしめるとともに、塵埃除去排出フィルターの大きさや動作時における通風抵抗を最小限に抑え、吸引排気装置あるいはダクトなどを小型化することができる。
【００６５】
また、本発明のフィルター清掃装置では、塵埃除去排出フィルターの移動および除去した塵埃の排出動作を、エアフィルターの清掃動作が終了するたびに行うもので、塵埃除去排出フィルターへの塵埃堆積量が許容値を越え、通風抵抗が増加しエアフィルターの清掃性能が低下したり、塵埃除去排出に障害が発生するのを未然に防ぐことができる。
【００６６】
また、本発明のフィルター清掃装置では、塵埃除去排出フィルターの移動および除去した塵埃の排出動作を、エアフィルターの清掃動作を所定の時間行った時点で行うもので、エアフィルターの清掃動作が終了するたびに行うよりも適切なタイミングで塵埃除去排出フィルターの移動および除去した塵埃の排出動作を行うことができる。
【００６７】
また、本発明のフィルター清掃装置では、フィルターの清掃動作時に吸引排気装置の負荷が設置初期よりも所定値以上低下した場合に、塵埃除去排出フィルターの移動および除去した塵埃の排出動作を行うもので、適切なタイミングかつ必要最小限の頻度で塵埃の排出動作を行い装置の長寿命化や信頼性向上を実現することができる。
【００６８】
また、本発明のフィルター清掃装置では、塵埃除去排出フィルターが除去した塵埃を前排気ダクトへ排出するのを容易ならしめる清掃パッドを有するもので、塵埃除去排出性を向上させることができる。
【００６９】
また、清掃パッドの弾力性は、埃の引き剥がしにも優れ、塵埃除去排出フィルターの移動部における吸引ダクトケースと排気ダクトケースのシールも確実ならしめることができる。
【００７０】
さらに、清掃パッドの材料として、シリコン樹脂を発泡成形して用いることで、弾性部材の耐摺動性を向上させ信頼性の高い装置を得ることができる。
【００７１】
また、本発明のフィルター清掃装置では、半円形状の前記塵埃除去排出フィルターが円の中心周りに回転するもので、単純な動作で塵埃除去排出を行うことができる。
【００７２】
また、本発明のフィルター清掃装置では、塵埃除去排出フィルターが概略正方形ないしは長方形の形状をなし、吸引ダクトと排気ダクトの間を往復移動するもので、通風抵抗を低減するあるいはダクト構造体を小型化することができる。
【産業上の利用可能性】
【００７３】
本発明のフィルター清掃装置は、吸引ダクト中を流れてきた塵埃を除去し、排気ダクト中に排出する塵埃除去排出手段を備え、エアフィルターから吸引した塵埃を、吸引排気装置を通さずに排出し、吸引排気装置の内部に塵埃が堆積することに因る故障を防ぎ、吸引排気装置の設計を容易ならしめるものであって、室内機の形態を問わず空気調和機に対して特に有効なものであるが、空気清浄機や換気装置などにも適用できる。
【図面の簡単な説明】
【００７４】
【図１】本発明の実施の形態１におけるフィルター清掃装置の構成図
【図２】本発明の実施の形態１におけるフィルター清掃装置の塵埃除去手段の説明図
【図３】本発明の実施の形態２におけるフィルター清掃装置の塵埃除去手段の説明図
【図４】特許文献１に記載の従来の技術を用いたフィルター清掃装置の構成図
【符号の説明】
【００７５】
１０１  フィルター清掃装置
１０３  吸引ダクト
１０５  吸引ノズル
１０５ｉ  待機位置
１０６  フィルター
１０７  吸引排出装置
１０７ａ  シロッコファン
１０７ｂ  ファンモーター
１０７ｃ  ケーシング
１０８  排気ダクト
１０９  駆動軸
１１０  駆動モータ
１１１  室内機
１１２  塵埃除去排出フィルター
１１３  吸引ダクトケース
１１４  排気ダクトケース
１１５  清掃パッド
【図１】
2007101117.tif 000003
【図２】
2007101117.tif 000004
【図３】
2007101117.tif 000005
【図４】
2007101117.tif 000006